(57)【要約】【課題】リテーナの意図しない遷移を避けることができるコネクタを提供する。【解決手段】コネクタ１００は、端子２００と、構造体３００とを備えている。構造体３００は、ハウジング４００と、リテーナ５００と、第１移動補助機構６００と、第２移動補助機構７００とを備えている。リテーナ５００は、アンロック状態から仮ロック状態を経て本ロック状態に至るようにして、ハウジング４００の取付部４２０に取り付けられている。リテーナ５００は、アンロック状態にあるとき、前後方向において取付部４２０の前方に位置している。リテーナ５００を取付部４２０に対して前後方向において後方に移動させる第１移動により、リテーナ５００は、アンロック状態から仮ロック状態に遷移する。リテーナ５００を取付部４２０に対して横方向に移動させる第２移動により、リテーナ５００は、仮ロック状態から本ロック状態に遷移する。【選択図】図２９
2020080238.tif 000002
【特許請求の範囲】
【請求項１】
端子と、構造体とを備えるコネクタであって、
前記構造体は、前記端子を前後方向に沿って延びるように保持しており、
前記構造体は、ハウジングと、リテーナと、第１移動補助機構と、第２移動補助機構とを備えており、
前記ハウジングは、前記端子を収容する収容部と、取付部とを有しており、
前記取付部には、ハウジング側第１ロック部と、ハウジング側第２ロック部とが形成されており、
前記リテーナは、アンロック状態から仮ロック状態を経て本ロック状態に至るようにして、前記ハウジングの前記取付部に取り付けられており、
前記リテーナは、リテーナ側第１ロック部と、リテーナ側第２ロック部とを有しており、
前記リテーナは、前記アンロック状態にあるとき、前記前後方向において前記取付部の前方に位置しており、
前記リテーナが前記アンロック状態にあるとき、前記リテーナ側第１ロック部と前記ハウジング側第１ロック部とは、前記前後方向において、互いに対向せずに逆方向を向いており、
前記リテーナを前記取付部に対して前記前後方向において後方に移動させる第１移動により、前記リテーナは、前記アンロック状態から前記仮ロック状態に遷移し、
前記第１移動補助機構は、前記第１移動を補助するものであり、
前記リテーナが前記仮ロック状態にあるとき、前記リテーナ側第１ロック部と前記ハウジング側第１ロック部とは、前記前後方向において互いに対向しており、
前記リテーナが前記仮ロック状態にあるとき、前記ハウジングの前記収容部は、前記端子を前記前後方向において後方から前方に向けて収容可能となっており、
前記リテーナが前記仮ロック状態にあるとき、前記リテーナ側第２ロック部と前記ハウジング側第２ロック部とは、前記前後方向と直交する横方向において、互いに対向せずに逆方向を向いており、
前記リテーナを前記取付部に対して前記横方向に移動させる第２移動により、前記リテーナは、前記仮ロック状態から前記本ロック状態に遷移し、
前記第２移動補助機構は、前記第２移動を補助するものであり、
前記リテーナが前記本ロック状態にあるとき、前記リテーナ側第２ロック部と前記ハウジング側第２ロック部とは、前記横方向において互いに対向しており、
前記リテーナは、前記本ロック状態にあるとき、前記端子が前記収容部に収容された状態を維持する
コネクタ。
【請求項２】
請求項１記載のコネクタであって、
前記第１移動補助機構は、第１弾性変形部と、第１誘い面と、第１突当部とを備えており、
前記第１弾性変形部は、前記ハウジング側第１ロック部及び前記リテーナ側第１ロック部の一方を、前記前後方向及び前記横方向の双方と直交する上下方向において移動可能となるように支持しており、
前記第１誘い面は、前記取付部及び前記リテーナの一方に設けられており、前記第１突当部は、前記取付部及び前記リテーナの残りの一方に設けられており、
前記第１誘い面は、前記前後方向及び前記上下方向の双方と交差しており、
前記第１移動の際に、前記第１誘い面は前記前後方向において前記第１突当部と突き当り、それによって前記第１弾性変形部は弾性変形して、前記ハウジング側第１ロック部及び前記リテーナ側第１ロック部の前記一方は残りの一方を越えて、前記リテーナは前記仮ロック状態に遷移し、
前記第２移動補助機構は、第２弾性変形部と、第２誘い面と、第２突当部とを備えており、
前記第２弾性変形部は、前記ハウジング側第２ロック部及び前記リテーナ側第２ロック部の一方を、前記上下方向において移動可能となるように支持しており、
前記第２誘い面は、前記取付部及び前記リテーナの一方に設けられており、前記第２突当部は、前記取付部及び前記リテーナの残りの一方に設けられており、
前記第２誘い面は、前記横方向及び前記上下方向の双方と交差しており、
前記第２移動の際に、前記第２誘い面は前記横方向において前記第２突当部と突き当り、それによって前記第２弾性変形部は弾性変形して、前記ハウジング側第２ロック部及び前記リテーナ側第２ロック部の前記一方は残りの一方を越えて、前記リテーナは前記本ロック状態に遷移する
コネクタ。
【請求項３】
請求項２記載のコネクタであって、
前記第１移動補助機構のうち、前記第１弾性変形部及び前記第１誘い面は前記リテーナに設けられており、前記第１突当部は前記取付部に設けられており、
前記第１弾性変形部は、前記リテーナ側第１ロック部を支持しており、
前記第２移動補助機構のうち、前記第２弾性変形部及び前記第２誘い面は前記リテーナに設けられており、前記第２突当部は前記取付部に設けられており、
前記第２弾性変形部は、前記リテーナ側第２ロック部を支持している
コネクタ。
【請求項４】
請求項３記載のコネクタであって、
前記リテーナには、第１凸部と、第２凸部とが設けられており、
第１凸部及び第２凸部の夫々は、前記上下方向に突出しており、
前記第１誘い面と前記リテーナ側第１ロック部とは、前記第１凸部に設けられており、且つ、前記前後方向において互いに逆方向に向いており、
前記第２誘い面と前記リテーナ側第２ロック部とは、前記第２凸部に設けられており、且つ、前記横方向において互いに逆方向に向いている
コネクタ。
【請求項５】
請求項４記載のコネクタであって、
前記第１凸部は、前記横方向に長手を有しており、
前記第２凸部は、前記前後方向に長手を有している
コネクタ。
【請求項６】
請求項４又は請求項５記載のコネクタであって、
前記取付部には、第１凹部と、第２凹部とが設けられており、
前記ハウジング側第１ロック部は、前記第１凹部の内面として構成されており、
前記ハウジング側第２ロック部は、前記第２凹部の内面として構成されており、
前記リテーナが前記仮ロック状態にあるとき、前記第１凸部は、前記第１凹部に受容されており、
前記リテーナが前記本ロック状態にあるとき、前記第２凸部は、前記第２凹部に受容されている
コネクタ。
【請求項７】
請求項６記載のコネクタであって、
前記横方向において、前記第１凹部のサイズは、前記第１凸部のサイズよりも大きく、
前記リテーナが前記本ロック状態にあるとき、前記第１凸部は、前記第１凹部に受容されている
コネクタ。
【請求項８】
請求項６又は請求項７記載のコネクタであって、
前記取付部には、付加的凹部が設けられており、
前記付加的凹部は、前記横方向において、前記第２凹部から離れて且つ並んで設けられており、
前記リテーナが前記仮ロック状態にあるとき、前記第２凸部は前記付加的凹部に受容されており、
前記第２突当部は、前記付加的凹部の内面として構成されている
コネクタ。
【請求項９】
請求項８記載のコネクタであって、
前記付加的凹部は、前記前後方向に延びており、少なくとも前方に開口しており、
前記第１移動の際に、前記付加的凹部は、前記第２凸部の前記前後方向の移動を許容しつつ前記第２凸部を受容する
コネクタ。
【請求項１０】
請求項３から請求項９までのいずれかに記載のコネクタであって、
前記リテーナには、第１スリットと、第２スリットと、空隙とが形成されており、
前記第１スリットは、前記前後方向に延びており、
前記第２スリットは、前記横方向に延びており、
前記空隙は、前記前後方向に延びており、且つ、前記第２スリットと連通しており、
前記第１弾性変形部の前記横方向の一端は、前記第１スリットに面しており、
前記第２弾性変形部の前記前後方向の一端は、前記第２スリットに面している
コネクタ。
【請求項１１】
請求項１から請求項１０までのいずれかに記載のコネクタであって、
前記ハウジングは、外周部を更に備えており、
前記外周部は、前記前後方向と直交する面内において、前記取付部を囲んでおり、
前記外周部と前記取付部とは一体に形成されている
コネクタ。
【請求項１２】
請求項１から請求項１１までのいずれかに記載のコネクタであって、
前記リテーナは、上壁部と、下壁部と、２つの側壁部とを有しており、
前記リテーナは、前記前後方向と直交する面内において閉じた形状を有している
コネクタ。
【請求項１３】
請求項１２記載のコネクタであって、
前記コネクタは、シール部材を更に有しており、
前記シール部材は、上部と、下部と、２つの側部とを有しており、
前記シール部材は、前記前後方向と直交する面内において閉じた形状を有しており、
前記リテーナの前記上壁部は、前記前後方向において、前記シール部材の前記上部の前方に位置しており、
前記リテーナの前記下壁部は、前記前後方向において、前記シール部材の前記下部の前方に位置しており、
前記リテーナの前記側壁部は、前記前後方向において、前記シール部材の前記側部の前方に夫々位置しており、
前記シール部材は、前記取付部に取り付けられており、
前記シール部材は、前記リテーナにより前記前後方向における前方への移動が規制されている
コネクタ。
【請求項１４】
請求項１から請求項１３までのいずれかに記載のコネクタであって、
前記コネクタは、抜け止め部材を更に備えており、
前記ハウジングは、前記前後方向に延びる受容部を更に有しており、
前記リテーナには、付加的抜け止め部が設けられており、
前記第２移動の際に、前記付加的抜け止め部は、前記受容部を前記横方向に横切って移動し、
前記抜け止め部材は、前記本ロック状態において、前記受容部内に挿入され、前記横方向において前記付加的抜け止め部と隣接して、前記リテーナの前記本ロック状態から前記仮ロック状態への遷移を防止する
コネクタ。
【請求項１５】
請求項１４記載のコネクタであって、
前記抜け止め部材は、サブコネクタであり、
前記サブコネクタは、付加的ハウジングと、付加的端子とを備えており、
前記付加的端子は、前記付加的ハウジングに保持されている
コネクタ。
【発明の詳細な説明】
【技術分野】
【０００１】
本発明は、端子と、構造体とを備えるコネクタに関する。
【背景技術】
【０００２】
図３９から図４１までを参照すると、特許文献１には、この種のコネクタ９００が開示されている。コネクタ９００は、端子９１０と、構造体９２０とを備えている。構造体９２０は、端子９１０をＸ方向に沿って延びるように保持している。構造体９２０は、ハウジング９３０と、リテーナ９４０とを備えている。ハウジング９３０は、端子９１０を収容する収容部９３２と、取付部９３４とを有している。取付部９３４には、ハウジング側第１ロック部９３５と、ハウジング側第２ロック部９３７とが形成されている。リテーナ９４０は、アンロック状態（図示せず）から仮ロック状態（図３９参照）を経て本ロック状態（図示せず）に至るようにして、ハウジング９３０の取付部９３４に取り付けられている。リテーナ９４０は、リテーナ側ロック部９４５を有している。リテーナ９４０は、アンロック状態にあるとき、Ｙ方向において取付部９３４の−Ｙ側に位置している。リテーナ９４０がアンロック状態にあるとき、リテーナ側ロック部９４５とハウジング側第１ロック部９３５とは、Ｙ方向において、互いに対向せずに逆方向を向いている。リテーナ９４０を取付部９３４に対して＋Ｙ方向に移動させることにより、リテーナ９４０は、アンロック状態から仮ロック状態に遷移する。リテーナ９４０が仮ロック状態にあるとき、リテーナ側ロック部９４５とハウジング側第１ロック部９３５とは、Ｙ方向において互いに対向している。リテーナ９４０が仮ロック状態にあるとき、ハウジング９３０の収容部９３２は、端子９１０を−Ｘ側から＋Ｘ側に向けて収容可能となっている。リテーナ９４０が仮ロック状態にあるとき、リテーナ側ロック部９４５とハウジング側第２ロック部９３７とは、Ｙ方向において、互いに対向せずに逆方向を向いている。仮ロック状態のリテーナ９４０を取付部９３４に対して更に＋Ｙ方向に移動させることにより、リテーナ９４０は、仮ロック状態から本ロック状態に遷移する。リテーナ９４０が本ロック状態にあるとき、リテーナ側ロック部９４５とハウジング側第２ロック部９３７とは、Ｙ方向において互いに対向している。リテーナ９４０は、本ロック状態にあるとき、端子９１０が収容部９３２に収容された状態を維持する。
【先行技術文献】
【特許文献】
【０００３】
【特許文献１】特開２００２−２０３６３１号公報
【発明の概要】
【発明が解決しようとする課題】
【０００４】
特許文献１のコネクタ９００において、アンロック状態から仮ロック状態に遷移させるリテーナ９４０の動作方向と、仮ロック状態から本ロック状態に遷移させるリテーナ９４０の動作方向とは、同一方向である＋Ｙ方向となっている。これにより、特許文献１のコネクタ９００においては、アンロック状態にあるリテーナ９４０に対して＋Ｙ方向への力を過剰に加えた場合、リテーナ９４０のリテーナ側ロック部９４５は、ハウジング９３０のハウジング側第１ロック部９３５を乗り越えて、ハウジング側第２ロック部９３７まで移動してしまう恐れがある。即ち、アンロック状態にあるリテーナ９４０に対して＋Ｙ方向への力を過剰に加えた場合、リテーナ９４０は、仮ロック状態で止められずに、本ロック状態まで一気に遷移してしまう恐れがある。
【０００５】
また、リテーナ９４０が仮ロック状態にあるコネクタ９００において、振動等によりリテーナ９４０が仮ロック状態から意図せずに本ロック状態へ遷移してしまう恐れもある。
【０００６】
よって本発明は、リテーナの意図しない遷移を避けることができるコネクタを提供することを目的とする。
【課題を解決するための手段】
【０００７】
本発明は、第１のコネクタとして、
端子と、構造体とを備えるコネクタであって、
前記構造体は、前記端子を前後方向に沿って延びるように保持しており、
前記構造体は、ハウジングと、リテーナと、第１移動補助機構と、第２移動補助機構とを備えており、
前記ハウジングは、前記端子を収容する収容部と、取付部とを有しており、
前記取付部には、ハウジング側第１ロック部と、ハウジング側第２ロック部とが形成されており、
前記リテーナは、アンロック状態から仮ロック状態を経て本ロック状態に至るようにして、前記ハウジングの前記取付部に取り付けられており、
前記リテーナは、リテーナ側第１ロック部と、リテーナ側第２ロック部とを有しており、
前記リテーナは、前記アンロック状態にあるとき、前記前後方向において前記取付部の前方に位置しており、
前記リテーナが前記アンロック状態にあるとき、前記リテーナ側第１ロック部と前記ハウジング側第１ロック部とは、前記前後方向において、互いに対向せずに逆方向を向いており、
前記リテーナを前記取付部に対して前記前後方向において後方に移動させる第１移動により、前記リテーナは、前記アンロック状態から前記仮ロック状態に遷移し、
前記第１移動補助機構は、前記第１移動を補助するものであり、
前記リテーナが前記仮ロック状態にあるとき、前記リテーナ側第１ロック部と前記ハウジング側第１ロック部とは、前記前後方向において互いに対向しており、
前記リテーナが前記仮ロック状態にあるとき、前記ハウジングの前記収容部は、前記端子を前記前後方向において後方から前方に向けて収容可能となっており、
前記リテーナが前記仮ロック状態にあるとき、前記リテーナ側第２ロック部と前記ハウジング側第２ロック部とは、前記前後方向と直交する横方向において、互いに対向せずに逆方向を向いており、
前記リテーナを前記取付部に対して前記横方向に移動させる第２移動により、前記リテーナは、前記仮ロック状態から前記本ロック状態に遷移し、
前記第２移動補助機構は、前記第２移動を補助するものであり、
前記リテーナが前記本ロック状態にあるとき、前記リテーナ側第２ロック部と前記ハウジング側第２ロック部とは、前記横方向において互いに対向しており、
前記リテーナは、前記本ロック状態にあるとき、前記端子が前記収容部に収容された状態を維持する
コネクタを提供する。
【０００８】
また、本発明は、第２のコネクタとして、第１のコネクタであって、
前記第１移動補助機構は、第１弾性変形部と、第１誘い面と、第１突当部とを備えており、
前記第１弾性変形部は、前記ハウジング側第１ロック部及び前記リテーナ側第１ロック部の一方を、前記前後方向及び前記横方向の双方と直交する上下方向において移動可能となるように支持しており、
前記第１誘い面は、前記取付部及び前記リテーナの一方に設けられており、前記第１突当部は、前記取付部及び前記リテーナの残りの一方に設けられており、
前記第１誘い面は、前記前後方向及び前記上下方向の双方と交差しており、
前記第１移動の際に、前記第１誘い面は前記前後方向において前記第１突当部と突き当り、それによって前記第１弾性変形部は弾性変形して、前記ハウジング側第１ロック部及び前記リテーナ側第１ロック部の前記一方は残りの一方を越えて、前記リテーナは前記仮ロック状態に遷移し、
前記第２移動補助機構は、第２弾性変形部と、第２誘い面と、第２突当部とを備えており、
前記第２弾性変形部は、前記ハウジング側第２ロック部及び前記リテーナ側第２ロック部の一方を、前記上下方向において移動可能となるように支持しており、
前記第２誘い面は、前記取付部及び前記リテーナの一方に設けられており、前記第２突当部は、前記取付部及び前記リテーナの残りの一方に設けられており、
前記第２誘い面は、前記横方向及び前記上下方向の双方と交差しており、
前記第２移動の際に、前記第２誘い面は前記横方向において前記第２突当部と突き当り、それによって前記第２弾性変形部は弾性変形して、前記ハウジング側第２ロック部及び前記リテーナ側第２ロック部の前記一方は残りの一方を越えて、前記リテーナは前記本ロック状態に遷移する
コネクタを提供する。
【０００９】
また、本発明は、第３のコネクタとして、第２のコネクタであって、
前記第１移動補助機構のうち、前記第１弾性変形部及び前記第１誘い面は前記リテーナに設けられており、前記第１突当部は前記取付部に設けられており、
前記第１弾性変形部は、前記リテーナ側第１ロック部を支持しており、
前記第２移動補助機構のうち、前記第２弾性変形部及び前記第２誘い面は前記リテーナに設けられており、前記第２突当部は前記取付部に設けられており、
前記第２弾性変形部は、前記リテーナ側第２ロック部を支持している
コネクタを提供する。
【００１０】
また、本発明は、第４のコネクタとして、第３のコネクタであって、
前記リテーナには、第１凸部と、第２凸部とが設けられており、
第１凸部及び第２凸部の夫々は、前記上下方向に突出しており、
前記第１誘い面と前記リテーナ側第１ロック部とは、前記第１凸部に設けられており、且つ、前記前後方向において互いに逆方向に向いており、
前記第２誘い面と前記リテーナ側第２ロック部とは、前記第２凸部に設けられており、且つ、前記横方向において互いに逆方向に向いている
コネクタを提供する。
【００１１】
また、本発明は、第５のコネクタとして、第４のコネクタであって、
前記第１凸部は、前記横方向に長手を有しており、
前記第２凸部は、前記前後方向に長手を有している
コネクタを提供する。
【００１２】
また、本発明は、第６のコネクタとして、第４又は第５のコネクタであって、
前記取付部には、第１凹部と、第２凹部とが設けられており、
前記ハウジング側第１ロック部は、前記第１凹部の内面として構成されており、
前記ハウジング側第２ロック部は、前記第２凹部の内面として構成されており、
前記リテーナが前記仮ロック状態にあるとき、前記第１凸部は、前記第１凹部に受容されており、
前記リテーナが前記本ロック状態にあるとき、前記第２凸部は、前記第２凹部に受容されている
コネクタを提供する。
【００１３】
また、本発明は、第７のコネクタとして、第６のコネクタであって、
前記横方向において、前記第１凹部のサイズは、前記第１凸部のサイズよりも大きく、
前記リテーナが前記本ロック状態にあるとき、前記第１凸部は、前記第１凹部に受容されている
コネクタを提供する。
【００１４】
また、本発明は、第８のコネクタとして、第６又は第７のコネクタであって、
前記取付部には、付加的凹部が設けられており、
前記付加的凹部は、前記横方向において、前記第２凹部から離れて且つ並んで設けられており、
前記リテーナが前記仮ロック状態にあるとき、前記第２凸部は前記付加的凹部に受容されており、
前記第２突当部は、前記付加的凹部の内面として構成されている
コネクタを提供する。
【００１５】
また、本発明は、第９のコネクタとして、第８のコネクタであって、
前記付加的凹部は、前記前後方向に延びており、少なくとも前方に開口しており、
前記第１移動の際に、前記付加的凹部は、前記第２凸部の前記前後方向の移動を許容しつつ前記第２凸部を受容する
コネクタを提供する。
【００１６】
また、本発明は、第１０のコネクタとして、第３から第９までのいずれかのコネクタであって、
前記リテーナには、第１スリットと、第２スリットと、空隙とが形成されており、
前記第１スリットは、前記前後方向に延びており、
前記第２スリットは、前記横方向に延びており、
前記空隙は、前記前後方向に延びており、且つ、前記第２スリットと連通しており、
前記第１弾性変形部の前記横方向の一端は、前記第１スリットに面しており、
前記第２弾性変形部の前記前後方向の一端は、前記第２スリットに面している
コネクタを提供する。
【００１７】
また、本発明は、第１１のコネクタとして、第１から第１０までのいずれかのコネクタであって、
前記ハウジングは、外周部を更に備えており、
前記外周部は、前記前後方向と直交する面内において、前記取付部を囲んでおり、
前記外周部と前記取付部とは一体に形成されている
コネクタを提供する。
【００１８】
また、本発明は、第１２のコネクタとして、第１から第１１までのいずれかのコネクタであって、
前記リテーナは、上壁部と、下壁部と、２つの側壁部とを有しており、
前記リテーナは、前記前後方向と直交する面内において閉じた形状を有している
コネクタを提供する。
【００１９】
また、本発明は、第１３のコネクタとして、第１２のコネクタであって、
前記コネクタは、シール部材を更に有しており、
前記シール部材は、上部と、下部と、２つの側部とを有しており、
前記シール部材は、前記前後方向と直交する面内において閉じた形状を有しており、
前記リテーナの前記上壁部は、前記前後方向において、前記シール部材の前記上部の前方に位置しており、
前記リテーナの前記下壁部は、前記前後方向において、前記シール部材の前記下部の前方に位置しており、
前記リテーナの前記側壁部は、前記前後方向において、前記シール部材の前記側部の前方に夫々位置しており、
前記シール部材は、前記取付部に取り付けられており、
前記シール部材は、前記リテーナにより前記前後方向における前方への移動が規制されている
コネクタを提供する。
【００２０】
また、本発明は、第１４のコネクタとして、第１から第１３までのいずれかのコネクタであって、
前記コネクタは、抜け止め部材を更に備えており、
前記ハウジングは、前記前後方向に延びる受容部を更に有しており、
前記リテーナには、付加的抜け止め部が設けられており、
前記第２移動の際に、前記付加的抜け止め部は、前記受容部を前記横方向に横切って移動し、
前記抜け止め部材は、前記本ロック状態において、前記受容部内に挿入され、前記横方向において前記付加的抜け止め部と隣接して、前記リテーナの前記本ロック状態から前記仮ロック状態への遷移を防止する
コネクタを提供する。
【００２１】
また、本発明は、第１５のコネクタとして、第１４のコネクタであって、
前記抜け止め部材は、サブコネクタであり、
前記サブコネクタは、付加的ハウジングと、付加的端子とを備えており、
前記付加的端子は、前記付加的ハウジングに保持されている
コネクタを提供する。
【発明の効果】
【００２２】
本発明のコネクタにおいては、リテーナは、アンロック状態にあるとき、前後方向においてハウジングの取付部の前方に位置している。また、本発明コネクタは、リテーナをハウジングの取付部に対して前後方向において後方に移動させる第１移動により、リテーナは、アンロック状態から仮ロック状態に遷移し、リテーナをハウジングの取付部に対して前後方向と直交する横方向に移動させる第２移動により、リテーナは、仮ロック状態から本ロック状態に遷移するように構成されている。即ち、本発明のコネクタにおいて、アンロック状態から仮ロック状態に遷移させるリテーナの第１移動の方向と、仮ロック状態から本ロック状態に遷移させるリテーナの第２移動の方向とが、異なるように構成されている。これにより、本発明のコネクタは、リテーナの意図しない遷移が避けられるように構成されている。
【図面の簡単な説明】
【００２３】
【図１】本発明の実施の形態によるコネクタ組立体を示す斜視図である。
【図２】図１のコネクタ組立体を示す背面図である。
【図３】図２のコネクタ組立体をＡ−Ａ線に沿って示す断面図である。
【図４】図１のコネクタ組立体に含まれるコネクタを示す斜視図である。
【図５】図４のコネクタを示す側面図である。
【図６】図５のコネクタをＢ−Ｂ線に沿って示す断面図である。
【図７】図４のコネクタに含まれる構造体及びシール部材を示す分解斜視図である。
【図８】図７の構造体に含まれるリテーナを示す斜視図である。
【図９】図８のリテーナを示す背面斜視図である。
【図１０】図８のリテーナを示す別の背面斜視図である。
【図１１】図８のリテーナを示す上面図である。
【図１２】図８のリテーナを示す側面図である。
【図１３】図８のリテーナを示す正面図である。
【図１４】図１３のリテーナをＣ−Ｃ線に沿って示す断面図である。
【図１５】図７の構造体に含まれるハウジングを示す側面図である。
【図１６】図１５のハウジングをＤ−Ｄ線に沿って示す断面図である。
【図１７】図１５のハウジングを示す正面図である。
【図１８】図１７のハウジングをＥ−Ｅ線に沿って示す断面図である。
【図１９】図１７のハウジングをＦ−Ｆ線に沿って示す断面図である。
【図２０】図１７のハウジングをＧ−Ｇ線に沿って示す断面図である。
【図２１】仮ロック状態にある図７の構造体を示す側面図である。ここで、構造体にはシール部材が取り付けられている。
【図２２】図２１の構造体をＨ−Ｈ線に沿って示す断面図である。
【図２３】図２１の構造体を示す正面図である。
【図２４】図２３の構造体をＩ−Ｉ線に沿って示す断面図である。
【図２５】図２３の構造体をＪ−Ｊ線に沿って示す断面図である。
【図２６】図２３の構造体をＫ−Ｋ線に沿って示す断面図である。
【図２７】図２３の構造体をＬ−Ｌ線に沿って示す断面図である。
【図２８】仮ロック状態にある図７の構造体を示す別の側面図である。ここで、構造体にはシール部材が取り付けられており、ハウジングの収容部には端子が挿入されている。
【図２９】図２８の構造体をＭ−Ｍ線に沿って示す断面図である。
【図３０】図２８の構造体を示す正面図である。
【図３１】図３０の構造体をＮ−Ｎ線に沿って示す断面図である。
【図３２】本ロック状態にある図７の構造体を示す側面図である。ここで、構造体にはシール部材が取り付けられており、構造体のハウジングの収容部には端子が挿入されている。
【図３３】図３２の構造体をО−О線に沿って示す断面図である。
【図３４】図３２の構造体を示す正面図である。
【図３５】図３４の構造体をＰ−Ｐ線に沿って示す断面図である。
【図３６】図３４の構造体をＱ−Ｑ線に沿って示す断面図である。
【図３７】図３４の構造体をＲ−Ｒ線に沿って示す断面図である。
【図３８】図４のコネクタを示す分解斜視図である。ここで、サブコネクタは、コネクタのハウジングの受容部に挿入されていない。
【図３９】特許文献１のコネクタを示す断面図である。
【図４０】図３９のコネクタに含まれるハウジングを示す断面図である。
【図４１】図３９のコネクタに含まれるリテーナを示す断面図である。
【発明を実施するための形態】
【００２４】
図１を参照して、本発明の実施の形態によるコネクタ１００は、前後方向に沿って相手側コネクタ８８０と嵌合可能なものである。本実施の形態において、前後方向は、Ｘ方向である。ここで、前方を＋Ｘ方向、後方を−Ｘ方向とする。
【００２５】
図３及び図３１に示されるように、本実施の形態のコネクタ１００は、構造体３００と、シール部材８００と、端子２００と、抜け止め部材８６０とを備えている。
【００２６】
図３１に示されるように、本実施の形態の構造体３００は、端子２００を前後方向に沿って延びるように保持している。図３７に示されるように、構造体３００は、ハウジング４００と、リテーナ５００と、第１移動補助機構６００と、第２移動補助機構７００とを備えている。
【００２７】
図１５及び図１６を参照して、本実施の形態のハウジング４００は、樹脂製であり、前後方向に延びる略角筒形状を有している。ハウジング４００は、端子２００を収容する収容部４１０と、取付部４２０と、受容部４８０と、周壁収容部４９０と、規制部収容部４９２と、外周部４７０とを有している。
【００２８】
図１６に示されるように、本実施の形態において、収容部４１０は２つ設けられている。しかしながら本発明はこれに限定されず、収容部４１０は１つであってもよいし、３つ以上であってもよい。また、本実施の形態において、２つの収容部４１０は上下方向に配置されているが、横方向に配置されていてもよく、多行多列を構成するように配置されていてもよい。本実施の形態において、上下方向はＺ方向である。ここで、上方を＋Ｚ方向とし、下方を−Ｚ方向とする。また、本実施の形態において、横方向はＹ方向である。ここで、右側を−Ｙ側とし、左側を＋Ｙ側とする。
【００２９】
図１８に示されるように、本実施の形態の収容部４１０は、前後方向にハウジング４００を貫通する孔である。収容部４１０は、前後方向と直交する上下方向において互いに対向する上面及び下面を有している。収容部４１０の内部には、止め部４１２と、ランス４１４とが設けられている。
【００３０】
図１８に示されるように、本実施の形態の止め部４１２は、前後方向において後方に向いた面である。止め部４１２は、前後方向における収容部４１０の前端を規定している。止め部４１２は、収容部４１０の下面から上方に延びている。
【００３１】
図１８に示されるように、本実施の形態のランス４１４は、収容部４１０の上面から前方且つ下方に延びている。ランス４１４の前端は、前後方向において止め部４１２の後方に位置している。
【００３２】
図１７に示されるように、本実施の形態の取付部４２０は、前方から見た場合、略矩形の形状を有している。取付部４２０は、前後方向と直交する平面において受容部４８０を囲んでいる。
【００３３】
図１６及び図１７に示されるように、本実施の形態の取付部４２０には、２つの第１凹部４３０と、２つの第２凹部４４０と、２つの付加的凹部４５０と、２つの第１突当部６３０とが設けられている。より詳しくは、取付部４２０には、第１凹部４３０と、第２凹部４４０と、付加的凹部４５０と、第１突当部６３０とで構成される組が２組設けられている。ここで一方の組の第１凹部４３０と、第２凹部４４０と、付加的凹部４５０と、第１突当部６３０とは、取付部４２０の上端に位置しており、残りの組の第１凹部４３０と、第２凹部４４０と、付加的凹部４５０と、第１突当部６３０とは、取付部４２０の下端に位置している。
【００３４】
図１６及び図２０に示されるように、本実施の形態の第１凹部４３０は、前後方向及び上下方向の双方と直交する横方向に延びる凹部である。第１凹部４３０は、上下方向において内側に凹んでいる。第１凹部４３０は、横方向右側に開口している。
【００３５】
図１６及び図２０に示されるように、本実施の形態の第２凹部４４０は、前後方向に延びる凹部である。第２凹部４４０は、上下方向において内側に凹んでいる。第２凹部４４０は、前後方向における前方に開口しており、且つ、横方向における左側に開口している。
【００３６】
図１６及び図２０に示されるように、本実施の形態の取付部４２０には、ハウジング側第１ロック部４３２と、ハウジング側第２ロック部４４２とが形成されている。ハウジング側第１ロック部４３２は、第１凹部４３０の内面４３２として構成されている。ハウジング側第２ロック部４４２は、第２凹部４４０の内面４４２として構成されている。
【００３７】
図１６及び図２０に示されるように、本実施の形態の付加的凹部４５０は、上下方向において内側に凹んでいる。付加的凹部４５０は、前後方向に延びており、前方に開口している。即ち、付加的凹部４５０は、前後方向における前端に開口部４５２を有している。なお本発明はこれに限定されず、付加的凹部４５０は、前後方向に延びており、少なくとも前方に開口していればよい。付加的凹部４５０は、横方向において第１凹部４３０と第２凹部４４０との間に位置している。付加的凹部４５０は、横方向において、第１凹部４３０の左側に離れて位置している。付加的凹部４５０は、横方向において、第２凹部４４０から離れて且つ並んで設けられている。付加的凹部４５０は、横方向において、第２凹部４４０から離れて右側に位置している。付加的凹部４５０の内面７３０は、第２突当部７３０として機能する。即ち、第２突当部７３０は、付加的凹部４５０の内面７３０として構成されている。第２突当部７３０は、上下方向及び横方向の双方と斜交している。
【００３８】
図１９に示されるように、本実施の形態の第１突当部６３０は、前後方向及び上下方向の双方と斜交している。第１突当部６３０は、上下方向において取付部４２０の両端に位置している。第１突当部６３０は、前後方向において取付部４２０の前端に位置している。
【００３９】
図１９に示されるように、本実施の形態の受容部４８０は、前後方向に延びる孔である。本受容部４８０は、前後方向においてハウジング４００を貫通している。図１６に示されるように、受容部４８０は、横方向において収容部４１０の左側に位置している。
【００４０】
図１９に示されるように、本実施の形態の周壁収容部４９０は、前後方向に延びる空間である。図１６に示されるように、周壁収容部４９０は、前後方向と直交する方向において取付部４２０と外周部４７０との間に位置している。周壁収容部４９０は、前後方向と直交する面内において、取付部４２０を囲んでいる。周壁収容部４９０は、前後方向と直交する面内において、外周部４７０に囲まれている。
【００４１】
図１６に示されるように、本実施の形態の周壁収容部４９０は、第１側壁部収容部４９１と、第２側壁部収容部４９３と、上壁部収容部４９４と、下壁部収容部４９６とで構成されている。
【００４２】
図１６に示されるように、本実施の形態の第１側壁部収容部４９１は、横方向において取付部４２０の右側に位置している。また、本実施の形態の第２側壁部収容部４９３は、横方向において、取付部４２０の左端に位置している。第２側壁部収容部４９３は、横方向において受容部４８０と連通している。
【００４３】
図１６に示されるように、本実施の形態の上壁部収容部４９４は、上下方向において取付部４２０の上方に位置している。上壁部収容部４９４は、上下方向において、取付部４２０の上端に位置する第１凹部４３０、第２凹部４４０及び付加的凹部４５０の夫々と連通している。
【００４４】
図１６に示されるように、本実施の形態の下壁部収容部４９６は、上下方向において取付部４２０の下方に位置している。下壁部収容部４９６は、上下方向において、取付部４２０の下端に位置する第１凹部４３０、第２凹部４４０及び付加的凹部４５０の夫々と連通している。
【００４５】
図１６及び図１８に示されるように、本実施の形態の規制部収容部４９２は、前後方向と直交する方向に広がる空間である。規制部収容部４９２は、前後方向において、ランス４１４と収容部４１０の後端との間に位置している。即ち、規制部収容部４９２は、前後方向においてランス４１４の後方に位置しており、収容部４１０の後端の前方に位置している。規制部収容部４９２は、横方向において収容部４１０と連通している。規制部収容部４９２は、横方向において第１側壁部収容部４９１と連通している。
【００４６】
図１７に示されるように、本実施の形態の外周部４７０は、前方から見た場合、概略矩形の形状を有している。外周部４７０は、前後方向と直交する面内において、取付部４２０を囲んでいる。外周部４７０と取付部４２０とは一体に形成されている。
【００４７】
図７、図１７、図２３及び図３４を参照して、本実施の形態のリテーナ５００は、アンロック状態（図７参照）から仮ロック状態（図２３参照）を経て本ロック状態（図３４参照）に至るようにして、ハウジング４００の取付部４２０に取り付けられている。即ち、本実施の形態のリテーナ５００は、ハウジング４００との相対位置に応じて、図７に示されるアンロック状態と、図２３に示される仮ロック状態と、図３４に示される本ロック状態の、３つの状態を取ることができる。アンロック状態、仮ロック状態、本ロック状態及びこれらの間の遷移の方法については後述する。
【００４８】
図１３を参照して、本実施の形態のリテーナ５００は、樹脂製であり、前後方向と直交する面内において閉じた形状を有している。リテーナ５００は、前方から見た場合、略矩形の外周を有している。リテーナ５００は、周壁５０５を有している。仮ロック状態及び本ロック状態において、周壁５０５は、ハウジング４００の周壁収容部４９０（図１７参照）に収容されている。即ち、仮ロック状態及び本ロック状態において、周壁５０５は、前後方向と直交する面内において、ハウジング４００の周壁収容部４９０に囲まれている。
【００４９】
図１３に示されるように、本実施の形態の周壁５０５は、上壁部５１０と、下壁部５４０と、２つの側壁部５５０とを有している。
【００５０】
図１４に示されるように、本実施の形態の上壁部５１０は、上下方向と直交する略平板形状を有している。上壁部５１０は、リテーナ５００の上端を規定している。本実施の形態の下壁部５４０は、上下方向と直交する略平板形状を有している。下壁部５４０は、上下方向において上壁部５１０の下方に位置している。下壁部５４０は、リテーナ５００の下端を規定している。図２３及び図３５を参照して、上壁部５１０は、仮ロック状態及び本ロック状態において、ハウジング４００の上壁部収容部４９４内に位置している。下壁部５４０は、仮ロック状態及び本ロック状態において、ハウジング４００の下壁部収容部４９６内に位置している。
【００５１】
図１０に示されるように、本実施の形態の上壁部５１０は、第１弾性変形部６１０と、第１凸部５２０と、第２弾性変形部７１０と、第２凸部５３０とを有している。下壁部５４０は、上壁部５１０と同様に、第１弾性変形部６１０と、第１凸部５２０と、第２弾性変形部７１０と、第２凸部５３０とを有している。即ち、リテーナ５００には、２つの第１弾性変形部６１０と、２つの第１凸部５２０と、２つの第２弾性変形部７１０と、２つの第２凸部５３０とが設けられている。
【００５２】
図１４に示されるように、本実施の形態の第１弾性変形部６１０は、上下方向と直交する平板形状を有している。第１弾性変形部６１０は、上下方向に弾性変形可能となっている。
【００５３】
図１４に示されるように、本実施の形態の第１凸部５２０は、上下方向に突出している。即ち、第１凸部５２０は、上下方向において内側に突出している。図１３に示されるように、第１凸部５２０は、横方向に長手を有している。
【００５４】
図１４に示されるように、本実施の形態の第１凸部５２０は、前後方向において第１弾性変形部６１０の後端に位置している。図９に示されるように、第１凸部５２０は、横方向において第１弾性変形部６１０の右端に位置している。即ち、第１凸部５２０は、第１弾性変形部６１０に支持されている。上述のように、第１弾性変形部６１０が上下方向に弾性変形可能となっていることから、第１凸部５２０は上下方向において移動可能となっている。図１３及び図１６から理解されるように、横方向において、第１凹部４３０のサイズＳ１は、第１凸部５２０のサイズＳ２よりも大きくなっている。
【００５５】
図１４に示されるように、第１凸部５２０は、第１誘い面６２０と、リテーナ側第１ロック部５２２とを有している。換言すれば、第１誘い面６２０とリテーナ側第１ロック部５２２とは、第１凸部５２０に設けられている。即ち、リテーナ５００は、第１誘い面６２０と、リテーナ側第１ロック部５２２とを有している。第１誘い面６２０は、前後方向及び上下方向の双方と交差している。リテーナ側第１ロック部５２２は、前後方向と直交する平面である。第１誘い面６２０とリテーナ側第１ロック部５２２とは、前後方向において互いに逆方向に向いている。
【００５６】
上述のように、第１弾性変形部６１０は、リテーナ側第１ロック部５２２が設けられている第１凸部５２０を支持している。即ち、第１弾性変形部６１０は、リテーナ側第１ロック部５２２を支持している。
【００５７】
図２２に示されるように、本実施の形態の第２弾性変形部７１０は、上下方向と直交する平板形状を有している。第２弾性変形部７１０は、上下方向に弾性変形可能となっている。図１１に示されるように、第２弾性変形部７１０は、横方向において第１弾性変形部６１０と連結されている。
【００５８】
図１２に示されるように、本実施の形態の第２凸部５３０の夫々は、上下方向に突出している。即ち、第２凸部５３０は、上下方向において内側に突出している。第２凸部５３０は、前後方向に長手を有している。図２２に示されるように、第２凸部５３０は、横方向において第２弾性変形部７１０の左端に位置している。上述のように、第２弾性変形部７１０が上下方向に弾性変形可能となっていることから、第２凸部５３０は上下方向に移動可能となっている。
【００５９】
図１０に示されるように、第２凸部５３０は、第２誘い面７２０とリテーナ側第２ロック部５３２とを有している。換言すれば、第２誘い面７２０とリテーナ側第２ロック部５３２とは、第２凸部５３０に設けられている。即ち、本実施の形態のリテーナ５００は、第１誘い面６２０と、リテーナ側第１ロック部５２２と、第２誘い面７２０と、リテーナ側第２ロック部５３２とを有している。図３３に示されるように、第２誘い面７２０は、横方向及び上下方向の双方と交差している。リテーナ側第２ロック部５３２は、横方向と直交する平面である。第２誘い面７２０とリテーナ側第２ロック部５３２とは、横方向において互いに逆方向に向いている。
【００６０】
図９から図１１までに示されるように、本実施の形態の側壁部５５０の夫々は、横方向と直交する略平板形状を有している。側壁部５５０は、リテーナ５００の横方向外端を規定している。側壁部５５０は、第１側壁部５５１と、第２側壁部５５２とを含んでいる。
【００６１】
図１０及び図１１に示されるように、本実施の形態の第１側壁部５５１は、リテーナ５００の右端を規定している。図２２及び図３３に示されるように、第１側壁部５５１は、仮ロック状態及び本ロック状態において、ハウジング４００の周壁収容部４９０の第１側壁部収容部４９１内に位置している。図１３に示されるように、第１側壁部５５１は、規制部５９０を有している。
【００６２】
本実施の形態において、規制部５９０は２つあり、規制部５９０は、収容部４１０と夫々対応している。しかしながら本発明はこれに限定されず、規制部５９０と収容部４１０との対応関係が維持される限り、いくつであってもよい。
【００６３】
図１４に示されるように、本実施の形態の規制部５９０は、前後方向において前方を向いた前面を有している。規制部５９０は、前後方向において第１側壁部５５１の後端付近に位置している。図２４及び図３１に示されるように、本ロック状態において、規制部５９０は、ハウジング４００の規制部収容部４９２内に位置している。
【００６４】
図９及び図１１に示されるように、本実施の形態の第２側壁部５５２は、リテーナ５００の左端を規定している。図２２及び図３３に示されるように、第２側壁部５５２は、本ロック状態において、ハウジング４００の第２側壁部収容部４９３内に位置している。第２側壁部５５２は、後述するように、付加的抜け止め部５５２として機能する。即ち、リテーナ５００には、付加的抜け止め部５５２が設けられている。
【００６５】
図９に示されるように、リテーナ５００には、２つの第１スリット５６０と、２つの第２スリット５７０と、２つの空隙５８０とが形成されている。詳しくは、リテーナ５００には、第１スリット５６０と、第２スリット５７０と、空隙５８０とで構成される組が２組形成されている。一方の組の第１スリット５６０と、第２スリット５７０と、空隙５８０とは、リテーナ５００の上方に位置している。残りの組の第１スリット５６０と、第２スリット５７０と、空隙５８０とは、リテーナ５００の下方に位置している。
【００６６】
図１１に示されるように、本実施の形態の第１スリット５６０は、前後方向に延びている。第１スリット５６０の後端は開口している。上側に位置する第１スリット５６０は、上下方向において上壁部５１０を貫通している。下側に位置する第１スリット５６０は、上下方向において下壁部５４０を貫通している。第１スリット５６０は、横方向において第１弾性変形部６１０の右側に位置している。第１弾性変形部６１０の横方向の一端６１２は、第１スリット５６０に面している。即ち、第１弾性変形部６１０の右端６１２は、第１スリット５６０に面している。この第１スリット５６０が設けられていることにより、第１弾性変形部６１０は上下方向に大きく弾性変形可能となっており、第１凸部５２０は上下方向に大きく移動可能となっている。
【００６７】
図１１に示されるように、本実施の形態の第２スリット５７０は、横方向に延びている。第２スリット５７０の左端は開口している。上側に位置する第２スリット５７０は、上下方向において上壁部５１０を貫通している。下側に位置する第２スリット５７０は、上下方向において下壁部５４０を貫通している。第２スリット５７０は、前後方向において第２弾性変形部７１０の前側に位置している。第２弾性変形部７１０の前後方向の一端７１２は、第２スリット５７０に面している。即ち、第２弾性変形部７１０の前端７１２は、第２スリット５７０に面している。この第２スリット５７０が設けられていることにより、第２弾性変形部７１０は上下方向に大きく弾性変形可能となっており、第２凸部５３０は上下方向に大きく移動可能となっている。
【００６８】
図１２に示されるように、本実施の形態の空隙５８０は、横方向において第２側壁部５５２を貫通している。空隙５８０は、前後方向に延びており、且つ、第２スリット５７０と連通している。より詳しくは、空隙５８０の前端は、第２スリット５７０の左端と連通している。
【００６９】
図１４、図１７及び図２３を参照して、第１移動補助機構６００は、リテーナ５００を取付部４２０に対して前後方向において後方に移動させる第１移動を補助するものである。第１移動補助機構６００は、第１弾性変形部６１０と、第１誘い面６２０と、第１突当部６３０とを備えている。ここで、第１移動補助機構６００のうち、第１弾性変形部６１０及び第１誘い面６２０はリテーナ５００に設けられており、第１突当部６３０は取付部４２０に設けられている。
【００７０】
図１０、図２２及び図３３を参照して、第２移動補助機構７００は、リテーナ５００を取付部４２０に対して横方向に移動させる第２移動を補助するものである。第２移動補助機構７００は、第２弾性変形部７１０と、第２誘い面７２０と、第２突当部７３０とを備えている。ここで、第２移動補助機構７００のうち、第２弾性変形部７１０及び第２誘い面７２０はリテーナ５００に設けられており、第２突当部７３０は取付部４２０に設けられている。
【００７１】
図７に示されるように、本実施の形態のシール部材８００は、前後方向と直交する面内において閉じた形状を有している。図３５に示されるように、シール部材８００は、取付部４２０に取り付けられている。シール部材８００は、リテーナ５００により前後方向における前方への移動が規制されている。より詳しくは、リテーナ５００が本ロック状態にあるとき、シール部材８００は、リテーナ５００により前後方向における前方への移動が規制されている。
【００７２】
図７に示されるように、本実施の形態のシール部材８００は、上部８１０と、下部８４０と、２つの側部８５０とを有している。図３４に示されるように、リテーナ５００の上壁部５１０は、前後方向において、シール部材８００の上部８１０の前方に位置している。リテーナ５００の下壁部５４０は、前後方向において、シール部材８００の下部８４０の前方に位置している。リテーナ５００の側壁部５５０は、前後方向において、シール部材８００の側部８５０の前方に夫々位置している。
【００７３】
図３１を参照して、本実施の形態の端子２００は、金属製であり、被止め部２１０と、ランス受部２２０と、被規制部２３０とを有している。
【００７４】
図３１に示されるように、本実施の形態の被止め部２１０は、前後方向において前方に向いた面である。被止め部２１０は、前後方向において端子２００の前端に位置している。また、被止め部２１０は、上下方向において端子２００の下端付近に位置している。端子２００がハウジング４００の収容部４１０に収容された状態において、被止め部２１０は、前後方向において、ハウジング４００の止め部４１２の後方に位置しており、止め部４１２と対向している。
【００７５】
図３１に示されるように、本実施の形態のランス受部２２０は、前後方向において後方を向いている。ランス受部２２０は、前後方向において被止め部２１０と被規制部２３０との間に位置している。即ち、ランス受部２２０は、前後方向において、被止め部２１０の後方に位置しており、被規制部２３０の前方に位置している。ランス受部２２０は、上下方向において端子２００の上端に位置している。端子２００がハウジング４００の収容部４１０に収容された状態において、ランス受部２２０は、前後方向において、ハウジング４００のランス４１４の前端の前方に位置しており、ランス４１４と対向している。
【００７６】
図３１に示されるように、本実施の形態の被規制部２３０は、前後方向において後方を向いている。図３５に示されるように、リテーナ５００が本ロック状態にあるとき、被規制部２３０は、前後方向において、リテーナ５００の規制部５９０の前面の前方に位置しており、規制部５９０の前面と対向している。
【００７７】
図３８から理解されるように、本実施の形態の抜け止め部材８６０は、サブコネクタ８６０である。図４に示されるように、サブコネクタ８６０は、付加的ハウジング８６２と、付加的端子８６４とを備えている。付加的端子８６４は、付加的ハウジング８６２に保持されている。
【００７８】
リテーナ５００のアンロック状態、仮ロック状態、本ロック状態及びこれらの間の遷移の方法について以下詳述する。
【００７９】
まず、図７を参照して、リテーナ５００は、アンロック状態にあるとき、前後方向において取付部４２０の前方に位置している。また、図１４及び図１６を参照して、リテーナ５００がアンロック状態にあるとき、リテーナ側第１ロック部５２２とハウジング側第１ロック部４３２とは、前後方向において、互いに対向せずに逆方向を向いている。
【００８０】
このアンロック状態において、リテーナ５００を取付部４２０に対して前後方向において後方に移動させる第１移動により、リテーナ５００は、アンロック状態から仮ロック状態に遷移する。
【００８１】
より詳しくは、この第１移動の際に、第１誘い面６２０は前後方向において第１突当部６３０と突き当り、それによって第１弾性変形部６１０は弾性変形して、リテーナ側第１ロック部５２２はハウジング側第１ロック部４３２を越えて、リテーナ５００は仮ロック状態に遷移する。また、この第１移動の際に、付加的凹部４５０は、第２凸部５３０の前後方向の移動を許容しつつ第２凸部５３０を受容する。
【００８２】
リテーナ５００が仮ロック状態にあるとき、第１凸部５２０は、第１凹部４３０に受容されている。また、リテーナ５００が仮ロック状態にあるとき、第２凸部５３０は付加的凹部４５０に受容されている。更に、リテーナ５００が仮ロック状態にあるとき、リテーナ側第１ロック部５２２とハウジング側第１ロック部４３２とは、前後方向において互いに対向している。更に加えて、リテーナ５００が仮ロック状態にあるとき、リテーナ側第２ロック部５３２とハウジング側第２ロック部４４２とは、前後方向と直交する横方向において、互いに対向せずに逆方向を向いている。
【００８３】
図１３及び図２２から理解されるように、リテーナ５００が仮ロック状態にあるとき、リテーナ５００の規制部５９０は、収容部４１０内に位置しておらず、横方向において収容部４１０の右側に位置している。これにより、リテーナ５００が仮ロック状態にあるとき、ハウジング４００の収容部４１０は、端子２００を前後方向において後方から前方に向けて収容可能となっている。
【００８４】
この仮ロック状態において、端子２００を収容部４１０に対して後端から挿入することにより、端子２００が収容部４１０内に収容された図３１の状態となる。この時、前後方向において、端子２００の被止め部２１０は、ハウジング４００の収容部４１０の止め部４１２の後方に位置しており、止め部４１２と対向している。またこの時、前後方向において、端子２００のランス受部２２０は、ハウジング４００の収容部４１０のランス４１４の前端の前方に位置しており、ランス４１４の前端と対向している。これにより、端子２００は、収容部４１０に対して前後方向の移動を規制されている。
【００８５】
端子２００を収容部４１０に収容した後、リテーナ５００を取付部４２０に対して横方向に移動させる第２移動を実施し、仮ロック状態から本ロック状態に遷移させる。即ち、リテーナ５００を取付部４２０に対して横方向に移動させる第２移動により、リテーナ５００は、仮ロック状態から本ロック状態に遷移する。
【００８６】
より詳しくは、この第２移動の際に、第２誘い面７２０は横方向において第２突当部７３０と突き当り、それによって第２弾性変形部７１０は弾性変形して、リテーナ側第２ロック部５３２はハウジング側第２ロック部４４２を越えて、リテーナ５００は本ロック状態に遷移する。また、この第２移動の際に、付加的抜け止め部５５２は、受容部４８０を横方向に横切って移動する。加えて、この第２移動の際に、第１凸部５２０は、第１凹部４３０内を横方向における左側に移動する。上述のように、第１凹部４３０は横方向に延びており、第１凸部５２０は横方向に長手を有している。また、横方向において、第１凹部４３０のサイズＳ１は、第１凸部５２０のサイズＳ２よりも大きくなっている。これにより、第２移動の際に、第１凸部５２０は、第１凹部４３０内をスムーズに左側へ移動することができる。更に、この第２移動の際に、規制部５９０は、収容部４１０内に突出するように横方向における左側に移動する。
【００８７】
リテーナ５００が本ロック状態にあるとき、第２凸部５３０は、第２凹部４４０に受容されている。また、リテーナ５００が本ロック状態にあるとき、第１凸部５２０は、第１凹部４３０に受容されている。更に、リテーナ５００が本ロック状態にあるとき、リテーナ側第２ロック部５３２とハウジング側第２ロック部４４２とは、横方向において互いに対向している。加えて、リテーナ５００は、本ロック状態にあるとき、端子２００が収容部４１０に収容された状態を維持する。より詳しくは、図３５から理解されるように、リテーナ５００が本ロック状態にあるとき、リテーナ５００の規制部５９０の前面は、前後方向において、端子２００の被規制部２３０の後方に位置しており、被規制部２３０と対向している。これにより、端子２００の収容部４１０内における後方への移動を更に規制している。
【００８８】
図３４及び３８を参照して、本ロック状態において、上述した抜け止め部材８６０がハウジング４００の受容部４８０内に挿入される。これにより、抜け止め部材８６０は、横方向においてリテーナ５００の付加的抜け止め部５５２の右側に隣接して位置することとなる。これにより、仮にこの状態でリテーナ５００に対して右方向への力が加わっても、付加的抜け止め部５５２が左側から抜け止め部材８６０に対して突き当たるため、リテーナ５００の右方向への移動が妨げられることとなる。即ち、抜け止め部材８６０は、この本ロック状態において、ハウジング４００の受容部４８０内に挿入され、横方向においてリテーナ５００の付加的抜け止め部５５２と隣接して、リテーナ５００の本ロック状態から仮ロック状態への遷移を防止する。
【００８９】
以上、本発明について、実施の形態を掲げて具体的に説明してきたが、本発明はこれに限定されるわけではなく、種々の変形が可能である。
【００９０】
上述のように、本実施の形態のコネクタ１００において、リテーナ５００の第１弾性変形部６１０は、リテーナ側第１ロック部５２２を支持していたが、本発明はこれに限定されず、ハウジング側第１ロック部４３２を移動可能となるように支持した第１弾性変形部６１０が、ハウジング４００に設けられていてもよい。即ち、第１弾性変形部６１０は、ハウジング側第１ロック部４３２及びリテーナ側第１ロック部５２２の一方を、前後方向及び横方向の双方と直交する上下方向において移動可能となるように支持していればよい。このとき、第１移動の際に、第１誘い面６２０は前後方向において第１突当部６３０と突き当り、それによって第１弾性変形部６１０は弾性変形して、ハウジング側第１ロック部４３２及びリテーナ側第１ロック部５２２の上記一方は残りの一方を越えて、リテーナ５００は仮ロック状態に遷移することとなる。
【００９１】
上述のように、本実施の形態のコネクタ１００において、第１誘い面６２０はリテーナ５００に設けられており、第１突当部６３０は取付部４２０に設けられていたが、本発明はこれに限定されず、第１誘い面６２０が取付部４２０に設けられており、第１突当部６３０がリテーナ５００に設けられていてもよい。即ち、第１誘い面６２０は、取付部４２０及びリテーナ５００の一方に設けられており、第１突当部６３０は、取付部４２０及びリテーナ５００の残りの一方に設けられていればよい。
【００９２】
上述のように、本実施の形態のコネクタ１００において、リテーナ５００の第２弾性変形部７１０は、リテーナ側第２ロック部５３２を支持していたが、本発明はこれに限定されず、ハウジング側第２ロック部４４２を移動可能となるように支持した第２弾性変形部７１０が、ハウジング４００に設けられていてもよい。即ち、第２弾性変形部７１０は、ハウジング側第２ロック部４４２及びリテーナ側第２ロック部５３２の一方を、上下方向において移動可能となるように支持していればよい。このとき、第２移動の際に、第２誘い面７２０は横方向において第２突当部７３０と突き当り、それによって第２弾性変形部７１０は弾性変形して、ハウジング側第２ロック部４４２及びリテーナ側第２ロック部５３２の上記一方は残りの一方を越えて、リテーナ５００は本ロック状態に遷移することとなる。
【００９３】
上述のように、本実施の形態のコネクタ１００において、第２誘い面７２０はリテーナ５００に設けられており、第２突当部７３０は取付部４２０に設けられていたが、本発明はこれに限定されず、第２誘い面７２０が取付部４２０に設けられており、第２突当部７３０がリテーナ５００に設けられていてもよい。即ち、第２誘い面７２０は、取付部４２０及びリテーナ５００の一方に設けられており、第２突当部７３０は、取付部４２０及びリテーナ５００の残りの一方に設けられていればよい。
【００９４】
上述のように、本実施の形態のコネクタ１００において、アンロック状態から仮ロック状態に遷移させるリテーナ５００の第１移動の方向と、仮ロック状態から本ロック状態に遷移させるリテーナ５００の第２移動の方向とは、互いに直交していたが、本発明はこれに限定されない。即ち、アンロック状態から仮ロック状態に遷移させるリテーナ５００の第１移動の方向と、仮ロック状態から本ロック状態に遷移させるリテーナ５００の第２移動の方向とが、異なるように構成されていればよい。
【符号の説明】
【００９５】
１００        コネクタ
２００        端子
２１０        被止め部
２２０        ランス受部
２３０        被規制部
３００        構造体
４００        ハウジング
４１０        収容部
４１２        止め部
４１４        ランス
４２０        取付部
４３０        第１凹部
４３２        ハウジング側第１ロック部（内面）
４４０        第２凹部
４４２        ハウジング側第２ロック部（内面）
４５０        付加的凹部
４５２        開口部
４７０        外周部
４８０        受容部
４９０        周壁収容部
４９１        第１側壁部収容部
４９２        規制部収容部
４９３        第２側壁部収容部
４９４        上壁部収容部
４９６        下壁部収容部
５００        リテーナ
５０５        周壁
５１０        上壁部
５２０        第１凸部
５２２        リテーナ側第１ロック部
５３０        第２凸部
５３２        リテーナ側第２ロック部
５４０        下壁部
５５０        側壁部
５５１        第１側壁部
５５２        付加的抜け止め部（第２側壁部）
５６０        第１スリット
５７０        第２スリット
５８０        空隙
５９０        規制部
６００        第１移動補助機構
６１０        第１弾性変形部
６１２        一端（右端）
６２０        第１誘い面
６３０        第１突当部
７００        第２移動補助機構
７１０        第２弾性変形部
７１２        一端（前端）
７２０        第２誘い面
７３０        第２突当部（内面）
８００        シール部材
８１０        上部
８４０        下部
８５０        側部
８６０        抜け止め部材（サブコネクタ）
８６２        付加的ハウジング
８６４        付加的端子
８８０        相手側コネクタ
Ｓ１          サイズ
Ｓ２          サイズ
【図１】
2020080238.tif 000003
【図２】
2020080238.tif 000004
【図３】
2020080238.tif 000005
【図４】
2020080238.tif 000006
【図５】
2020080238.tif 000007
【図６】
2020080238.tif 000008
【図７】
2020080238.tif 000009
【図８】
2020080238.tif 000010
【図９】
2020080238.tif 000011
【図１０】
2020080238.tif 000012
【図１１】
2020080238.tif 000013
【図１２】
2020080238.tif 000014
【図１３】
2020080238.tif 000015
【図１４】
2020080238.tif 000016
【図１５】
2020080238.tif 000017
【図１６】
2020080238.tif 000018
【図１７】
2020080238.tif 000019
【図１８】
2020080238.tif 000020
【図１９】
2020080238.tif 000021
【図２０】
2020080238.tif 000022
【図２１】
2020080238.tif 000023
【図２２】
2020080238.tif 000024
【図２３】
2020080238.tif 000025
【図２４】
2020080238.tif 000026
【図２５】
2020080238.tif 000027
【図２６】
2020080238.tif 000028
【図２７】
2020080238.tif 000029
【図２８】
2020080238.tif 000030
【図２９】
2020080238.tif 000031
【図３０】
2020080238.tif 000032
【図３１】
2020080238.tif 000033
【図３２】
2020080238.tif 000034
【図３３】
2020080238.tif 000035
【図３４】
2020080238.tif 000036
【図３５】
2020080238.tif 000037
【図３６】
2020080238.tif 000038
【図３７】
2020080238.tif 000039
【図３８】
2020080238.tif 000040
【図３９】
2020080238.tif 000041
【図４０】
2020080238.tif 000042
【図４１】
2020080238.tif 000043